(57)【要約】【課題】アイコンに対して正確に操作を入力できるユーザにとってデメリットになることなく、また、老若男女といった差異にかかわらずタッチパネルに対する操作を容易に入力することができる入力制御プログラム、入力装置を提供する。【解決手段】実施形態の入力制御プログラムは、タッチパネルが設けられている表示部にアイコンを表示する複数のアイコン領域を設定する処理と、複数のアイコン領域のそれぞれに対してアイコンが操作されたとみなす反応領域を設定する処理と、タッチパネルに対する操作の入力を検出するとともに、複数のアイコンを表示することでそれぞれの反応領域が重なり、その重なった位置に操作が入力された場合には、予め設定されている優先順位に従って対象となるアイコンを選択する処理、を含んでいる。【選択図】図３
2016224666.tif 000002
【特許請求の範囲】
【請求項１】
タッチパネルを備えた入力装置を制御する入力制御プログラムであって、
前記タッチパネルが設けられている表示部に、操作を入力する位置を視覚的に提示するためのアイコンを表示する複数のアイコン領域を設定する処理と、
複数の前記アイコン領域のそれぞれに対して、各アイコン領域に表示されるアイコン外に設けられる領域であって、当該領域内に操作が入力されると対応するアイコンが操作されたとみなす反応領域を設定する処理と、
前記タッチパネルに対する操作の入力を検出するとともに、複数のアイコンを表示することでそれぞれの前記反応領域が重なり、その重なった位置に操作が入力された場合には、予め設定されている優先順位に従って対象となるアイコンを選択する処理と、
を含むことを特徴とする入力制御プログラム。
【請求項２】
前記優先順位は、アイコンが選択された回数である選択回数が多いほど高く設定されることを特徴とする請求項１記載の入力制御プログラム。
【請求項３】
前記選択回数は、アイコンからずれた位置に操作が入力されて当該アイコンが選択された回数として計数されることを特徴とする請求項２記載の入力制御プログラム。
【請求項４】
操作画面において一旦いずれかのアイコンが選択されてから所定時間以内に元の操作画面に戻った場合、当該アイコンに対する選択操作を前記選択回数の計数から除外することを特徴とする請求項２または３記載の入力制御プログラム。
【請求項５】
最も優先順位が高いアイコンが複数ある場合、対象となるアイコンを互いの反応領域が重ならない位置に変更し、再操作を促すことを特徴とする請求項１から４のいずれか一項記載の入力制御プログラム。
【請求項６】
操作が入力された位置から最も近いアイコンの位置は移動せず、操作が入力された位置から遠い側のアイコンの位置を移動させることを特徴とする請求項５記載の入力制御プログラム。
【請求項７】
最も優先順位が高いアイコンが複数ある場合、アイコンの表示態様を変更することにより、再操作を促すことを報知することを特徴とする請求項１から６のいずれか一項記載の入力制御プログラム。
【請求項８】
タッチパネルが設けられている表示部に、操作を入力する位置を視覚的に提示するためのアイコンを表示する複数のアイコン領域を設定する処理と、複数の前記アイコン領域のそれぞれに対して、各アイコン領域に表示されるアイコン外に設けられる領域であって、当該領域内に操作が入力されると対応するアイコンが操作されたとみなす反応領域を設定する処理と、前記タッチパネルに対する操作の入力を検出するとともに、複数のアイコンを表示することでそれぞれの前記反応領域が重なり、その重なった位置に操作が入力された場合には、予め設定されている優先順位に従って対象となるアイコンを選択する処理と、を実行する制御部を備えることを特徴とする入力装置。
【発明の詳細な説明】
【技術分野】
【０００１】
本発明は、タッチパネルを備えた入力装置を制御する入力制御プログラム、およびタッチパネルを備えた入力装置に関する。
【背景技術】
【０００２】
従来、表示部にタッチパネルを設けることで、情報の提供と簡便な操作性とを両立した入力装置が知られている。このような入力装置は、アイコンの大きさと同等あるいは他のアイコンと重ならない程度の大きさの反応領域（アイコンが操作されたとみなす領域）が設定されており、その反応領域に操作が入力されることによって作動する。このとき、操作性を改善するために、反応領域を他の反応領域と重ならない程度まで大きくすること等が提案されている（例えば、特許文献１参照）。
【先行技術文献】
【特許文献】
【０００３】
【特許文献１】特開２０１４−１６７１４号公報
【発明の概要】
【発明が解決しようとする課題】
【０００４】
さて、入力装置の一利用形態であるＨＥＭＳ（Home Energy Management System）の端末（以下、便宜的にＨＥＭＳモニタと称する）では、エアコンや給湯器、太陽光パネル等の機器をアイコン化して表示するとともに、各機器で消費または発電されるエネルギーとその流れとを数値や矢印等用いて表示することにより、エネルギーの利用状況を一目で把握できるようにしている。この場合、アイコンと情報とをなるべく近くに表示すれば各情報を正しく知ることができるとともに、例えば後述する図２に示すようにエアコンであれば家の中、太陽光パネルであれば屋根の上等、アイコンの位置をなるべく実際の機器の設置位置に即した状態で表示すれば、各機器の動作状況を直感的に把握できるようになると考えられる。
【０００５】
つまり、各情報をより分かり易くユーザに提供するためには複数のアイコンを比較的近くに配置すること等が必要となり、アイコンの位置や大きさが自ずと限られてしまい、アイコン等のレイアウトにある程度の制限がかかってしまう。そして、このようなレイアウトに対する制限は、ほぼ正確にアイコンに操作が入力されることを前提としていた従来の入力装置では想定されていなかった新たな問題の要因になる可能性がある。
【０００６】
すなわち、例えば上記したＨＥＭＳモニタは、家庭に設置されることが多いため、複数のユーザが操作する可能性がある。このとき、上記したように複数のアイコンが比較的近くに表示されていると、例えばお年寄りのユーザが、手の震え等によって所望のアイコンの位置に操作を入力することができず、目的のアイコンを選択するのに時間が掛かってしまうおそれがある。
また、上記したようにレイアウトが制限されている場合には、単純にアイコンやその反応領域の大きさを変更することは容易ではないため、表示されるアイコンが小さくなりがちであり、お年寄りのユーザ等にとっては操作しづらいものなる可能性がある。
【０００７】
かといって、アイコンや反応領域を大きくするためにアイコンの数や情報の種類を削減することは、アイコンに対して正確に操作を入力できるユーザにとっては逆にデメリットになってしまう。このような状況から、老若男女といった差異にかかわらず、タッチパネルに対する操作を容易に入力できることが望まれている。
【０００８】
本発明は上記事情に鑑みてなされたものであり、その目的は、アイコンに対して正確に操作を入力できるユーザにとってデメリットになることなく、また、老若男女といった差異にかかわらずタッチパネルに対する操作を容易に入力することができる入力制御プログラム、入力装置を提供することにある。
【課題を解決するための手段】
【０００９】
請求項１に記載した入力制御プログラムは、タッチパネルが設けられている表示部に、操作を入力する位置を視覚的に提示するためのアイコンを表示する複数のアイコン領域を設定する処理と、複数のアイコン領域のそれぞれに対して、各アイコン領域に表示されるアイコン外に設けられる領域であって、当該領域内に操作が入力されると対応するアイコンが操作されたとみなす反応領域を設定する処理と、タッチパネルに対する操作の入力を検出するとともに、複数のアイコンを表示することでそれぞれの前記反応領域が重なり、その重なった位置に操作が入力された場合には、予め設定されている優先順位に従って対象となるアイコンを選択する処理と、を含んでいる。
【００１０】
アイコン対して反応領域を設定することで、まず、アイコンからずれた位置に操作が入力されたとしても、操作位置が反応領域に含まれていれば対応するアイコンが操作されたものとみなされ、そのアイコンに割り振られている処理が実行される。つまり、表示されるアイコン大きさが制限されていたとしても、そのアイコンを操作可能な範囲（反応領域）をアイコンよりも大きくとることができるため、手が震えたりして正確にアイコンを操作することが不得手なユーザであっても、アイコンを操作し易くなる。
【００１１】
そして、複数の反応領域が重なる位置に操作が入力された場合には、優先順位に基づいて対象となるアイコンを選択するので、利用頻度の高いアイコンほど優先的に選択されることになり、入力装置を利用する利用シーンの多くにおいて適切にアイコンを選択できる可能性が高くなることを期待できる。このとき、アイコンを大きくする必要がないため、アイコンの数や情報の種類を削減する必要がなく、不得手なユーザに配慮しつつも、正確にアイコンを操作できるユーザにとってはデメリットになることもない。
したがって、アイコンに対して正確に操作を入力できるユーザにとってデメリットになることなく、また、老若男女といった差異にかかわらずタッチパネルに対する操作を容易に入力することができる。
【００１２】
請求項２に記載した入力制御プログラムは、各アイコンに設定される優先順位を、アイコンが選択された回数である選択回数が多いほど高く設定する。このとき、選択回数は、そのアイコン（より厳密には、アイコンに割り振られている機能）の利用頻度が高いことを示しているため、選択回数に応じて優先順位を設定すれば、最も利用頻度の高いアイコンが優先順位で１番となる。そのため、互いの反応領域が重なる位置に操作が入力された際、対象となる複数のアイコンのうち最も利用頻度が高いアイコンが選択されるようになり、ユーザが所望している可能性が高い動作を行うことができる。
【００１３】
請求項３に記載した入力制御プログラムは、選択回数を、アイコンからずれた位置に操作が入力されて当該アイコンが選択された回数として計数する。アイコン領域内に操作が入力された場合には、その操作は、勿論お年寄りなどアイコンを正確に操作することが不得手なユーザによって入力されることもあるものの、アイコンを正確に操作できるユーザによって入力されたと考えられる。その一方で、アイコンからずれた位置に操作が入力された場合には、その操作は、勿論アイコンを正確に操作できるユーザの操作ミス等の可能性はあるものの、概ね、不得手なユーザによって入力されたものと考えられる。
【００１４】
つまり、操作が入力された位置がアイコンからずれた位置であるか否かによって、アイコンを正確に操作できるユーザが入力した操作なのか、不得手なユーザが入力した操作なのかを程度識別することができる。このため、アイコンからずれた位置に操作が入力されてアイコンが選択された回数を計数した選択回数は、不得手なユーザが操作を入力した回数を示すもの、つまりは、不得手なユーザの過去の利用状況を示すものとして扱うことができる。
【００１５】
そして、このように計数した選択回数に基づいて優先順位を設定することにより、アイコンからずれた位置に操作が入力された場合には、つまり、おそらくは不得手なユーザによって操作が入力されたと思われる場合には、その不得手なユーザの過去の利用状況に基づいて、対象となるアイコンを選択することができるようになる。したがって、アイコンからずれた位置に操作が入力された場合において、対象となるアイコンを選択する際の正確性を高めることができる。
【００１６】
請求項４に記載した入力制御プログラムは、操作画面において一旦いずれかのアイコンが選択されてから所定時間以内に元の操作画面に戻った場合、当該アイコンに対する選択操作を選択回数の計数から除外する。一旦いずれかのアイコンが選択され、所定時間以内に元の操作画面に戻った場合には、当該アイコンに対する選択操作が間違いであり、正しい操作をするために元の操作画面に戻ったと考えることができる。そのため、例えば所定時間を数秒程度、つまり、操作ミスをして元の操作画面に戻ったと考えられるような時間に設定しておくことで、操作ミスにより選択回数が加算されてしまうことを防止でき、アイコンの優先順位を適切に設定できるようになる。
【００１７】
請求項５に記載した入力制御プログラムは、最も優先順位が高いアイコンが複数ある場合には、対象となるアイコンの位置を互いの反応領域が重ならない位置に変更して再操作を促す。これにより、情報量を確保するためにアイコンを比較的近くに配置するようなレイアウトに制限されている場合であっても、再操作時にはアイコン間の距離が大きくなることから、不得手なユーザであっても容易に所望のアイコンまたはアイコンの近傍の反応領域に操作を入力することができるようになる。また、再操作を促すことで、優先すべきアイコンの判断がつかないままアイコンを選択してユーザの希望とは異なる処理が実行されるような事態を防止することができる。
【００１８】
請求項６に記載した入力制御プログラムは、操作が入力された位置から最も近いアイコンの位置は移動せず、操作が入力された位置から遠い側のアイコンの位置を移動させる。これにより、再操作が行われた際にほぼ同じ位置に操作が入力された場合には、移動させなかったアイコンを操作したいと考えていると推測できる一方、再操作が行われた際に異なる位置に操作が入力された場合には、移動した方のアイコンを操作したいと考えていると推測できる。したがってユーザが希望するアイコンが何れであるのかを、より正確に推測することができる。
【００１９】
また、ユーザ側からすると、移動しなかった方のアイコンを操作したい場合には、一旦タッチパネルから指を離し、そのまま同じ位置に再度触れることにより、そのアイコンを操作することができる。また、移動した方のアイコンを操作したい場合であっても、一旦タッチパネルから指を離し、移動したアイコン側に若干指を移動させて再度タッチパネルに触れることにより、そのアイコンを操作することができる。
【００２０】
つまり、ユーザは、最初に操作を入力した位置からそれほど大きく指を移動させることなく、再操作を入力することができる。したがって、例えば手が震えるなど目的の位置に触れることが不得手なユーザであっても、タッチパネルに触れていない状態から操作しようとする場合に比べると、より容易に所望のアイコンを操作できるようになる。
【００２１】
請求項７に記載した入力制御プログラムは、最も優先順位が高いアイコンが複数ある場合、アイコンの表示態様を変更することにより再操作を促す。これにより、情報量を確保するためにアイコンを比較的近くに配置するようなレイアウトに制限されている場合であっても、再操作時には現在触れている箇所から若干指を移動させることでアイコンを選択することができ、タッチパネルに触れていない状態からあるアイコンを狙って操作しようとする場合よりも容易に、所望のアイコンを操作できるようになる。また、再操作を促すことで、優先すべきアイコンの判断がつかないままアイコンを選択してユーザの希望とは異なる処理が実行されるような事態を防止することができる。
【００２２】
請求項８に記載した入力装置は、請求項１に記載した入力制御プログラムと共通する技術的思想に基づいてなされたものであり、タッチパネルが設けられている表示部に、操作を入力する位置を視覚的に提示するためのアイコンを表示する複数のアイコン領域を設定する処理と、複数のアイコン領域のそれぞれに対して、各アイコン領域に表示されるアイコンの外に設けられる含む領域であって、当該領域内に操作が入力されると対応するアイコンが操作されたとみなす反応領域を設定する処理と、タッチパネルに対する操作の入力を検出するとともに、複数のアイコンを表示することでそれぞれの反応領域が重なり、その重なった位置に操作が入力された場合には、予め設定されている優先順位に従って対象となるアイコンを選択する処理と、を実行する制御部を備えている。
【００２３】
これにより、上記したように手が震えたりして正確にアイコンを操作することが不得手なユーザであってもアイコンを操作し易くなり、また、アイコンの数や情報の種類を削減する必要がないことから、アイコンに対して正確に操作を入力できるユーザにとってデメリットになることなく、また、老若男女といった差異にかかわらずタッチパネルに対する操作を容易に入力することができる等、請求項１に記載した入力制御プログラムの発明と同様の効果を得ることができる。
【図面の簡単な説明】
【００２４】
【図１】第１実施形態による入力装置の一例であるＨＥＭＳモニタの電気的構成の一例を模式的に示す図
【図２】ＨＥＭＳモニタの表示画面の一例を模式的に示す図
【図３】ＨＥＭＳモニタによる入力制御処理の流れを示す図
【図４】アイコン領域と反応領域とを模式的に示す図
【図５】アイコンの優先順位の一例を示す図
【図６】再選択処理（その１）による表示態様の変化を模式的に示す図
【図７】再選択処理（その２）による表示態様の変化を模式的に示す図
【発明を実施するための形態】
【００２５】
以下、本発明の一実施形態について図１から図７を参照しながら説明する。
本実施形態では、図１に示すように、入力装置として、家庭に設けられ、各機器のエネルギーの利用状況を可視化してユーザに提示するＨＥＭＳ（Home Energy Management System）の端末であるＨＥＭＳモニタ１を想定している。
【００２６】
ＨＥＭＳモニタ１は、配電盤２に接続されている。配電盤２は、商用電源側３から供給される商用電力を各機器に配電する。また、配電盤２は、家庭内の余剰なエネルギーを商用電源側３に供給する。この配電盤２には、例えば太陽光パネル４、エアコン５、エアコン６、給湯器７、蓄電池８、車両充電器９等の各機器が接続されている。なお、エアコン５は例えばリビングルーム、エアコン６は例えば寝室に設置されていることなどを想定している。
【００２７】
各機器はいずれも周知のものであるので詳細な説明は省略するが、太陽光パネル４は、太陽電池で構成されており、太陽光を受けて発電する機器である。エアコン５およびエアコン６は、電力を消費して室内の空調を行う機器である。給湯器７は、電力あるいは電力とガスとを消費してお湯を沸かす機器である。蓄電池８は、例えばリチウムイオン電池で構成されており、太陽光パネル４で発電した電力を蓄えたり、電力を放出して各機器や少量電源側に供給したりする機器である。車両充電器９は、ハイブリッド自動車や電気自動車への充電、およびハイブリッド自動車や電気自動車からの電力の供給を受ける機器である。
【００２８】
各機器は、配電盤２を介してＨＥＭＳモニタ１との間でデータ通信可能に接続されている。なお、各機器は、配電盤２を介さずにＨＥＭＳモニタ１と直接的にデータ通信を行う構成を含んでいてもよい。これらＨＥＭＳモニタ１や配電盤２および各機器によって、家庭内のＨＥＭＳネットワーク１００が構成されている。ただし、図１に示すＨＥＭＳネットワーク１００構成は一例であり、各機器の種類や数等は図１に示したものに限定されることはない。
【００２９】
さて、ＨＥＭＳモニタ１は、制御部１０、表示部１１、タッチパネル１２、記憶部１３および通信部１４等を備えている。なお、ＨＥＭＳモニタ１は、動作中であることを示す動作ＬＥＤ１ａや、音声出力用のスピーカ１ｂ等も備えている（図２参照）。
制御部１０は、図示しないＣＰＵ、ＲＯＭおよびＲＡＭ等を有するマイクロコンピュータで構成されており、ＨＥＭＳモニタ１の全体を制御するとともに、後述する図２に示すようなエネルギーの消費量や発電量およびそれらの流れ等、エネルギーの利用状況を可視化するための処理や、タッチパネル１２に対する操作を検出する処理等を行っている。また、ＨＥＭＳモニタ１は、後述するように、例えばエアコンのオン／オフなど、機器の運転制御を行うこともできる。
【００３０】
表示部１１は、例えば液晶パネルや有機ＥＬパネル等で構成されており、制御部１０からの制御に基づいて各種の情報やアイコン等の図形や記号、テキスト等を表示する。本実施形態では、概ね数インチ程度の大きさの画面を有する表示部１１を採用している。タッチパネル１２は、表示部１１の画面に対応して設けられており、ユーザの操作を受け付ける。このタッチパネル１２は、静電方式や感圧方式等、任意の方式のものを採用することができる。
【００３１】
記憶部１３は、例えば半導体記憶素子等で構成されており、制御部１０で実行するコンピュータプログラムや各種の設定等を記憶する。通信部１４は、予め定められた規格に沿った通信機能を備える各機器との間で通信を行う。このとき、通信方式としては、有線方式や無線方式等の任意の通信方式を採用することができる。また、電力を供給するための電力線とデータ通信を行うための通信線とを分けるのではなく、それらを一体化したいわゆる電力線通信を採用してもよい。
このような構成のＨＥＭＳモニタ１は、図２に示すように、エアコンや給湯器７、太陽光パネル４等の機器をアイコン化して表示するとともに、各機器で消費または発電されるエネルギーとその流れとを数値や矢印等用いて表示する。
【００３２】
図２の場合、表示部１１には、家を模式的に示すアイコンＭ１、ＨＥＭＳモニタ１（配電盤２を含んでもよい）を模式的に示すアイコンＭ２、各種のお知らせやヘルプあるいは設定等を行うための複数のアイコンＭ３、太陽光パネル４を模式的に示すアイコンＭ４、エアコン５を模式的に示すアイコンＭ５、エアコン６を模式的に示すアイコンＭ６、給湯器７を模式的に示すアイコンＭ７、蓄電池８を模式的に示すアイコンＭ８、車両充電器９と車両に搭載されているバッテリとをまとめて模式的に示すアイコンＭ９、商用電源側３から購入する電力（買電）の流れを模式的に示すアイコンＭ１０、および商用電源側３に販売する電力（売電）の流れを示すアイコンＭ１１等が表示されている。
【００３３】
各アイコンのうち、アイコンＭ５およびアイコンＭ６は、ユーザにより操作されることにより、対応するエアコン５、６の運転の開始／停止を指示することができ、アイコンＭ７は、ユーザにより操作されることにより、浴槽にお湯を張ることができる等、いわゆる操作ボタンとして機能する。なお、アイコンＭ３も、お知らせを閲覧したり、ヘルプを参照したり、設定を行う等の操作ボタンとして機能する。
【００３４】
各アイコンは、人の手Ｈ（実際には、指やタッチペン等）によって操作されるが、説明の簡略化のために、指で操作するものとして説明する。
また、例えばアイコンＭ２には、消費電力（情報に相当する）を表示する表示エリアＭ２ａが設けられており、アイコンＭ４には、発電量を表示する表示エリアＭ４ａが設けられており、アイコンＭ８には、放電量を表示する表示エリアＭ８ａが設けられており、アイコンＭ１１には、売電量を表示する表示エリアＭ１１ａが設けられている。
【００３５】
このうち、表示エリアＭ２ａは、ユーザの操作によって、現在の消費電力量を表示する状態から、当日の積算消費電力量を表示する状態へとその表示態様が切り替わる。つまり、表示エリアＭ２ａは、表示する情報の種類を切り替えるための操作ボタンとしても機能する。そして、操作ボタンとして機能する例えば表示エリアＭ２ａは、ユーザの操作を受け付けるアイコンと同等のものであると考えることができる。なお、表示エリアは、必ずしも操作ボタンとして機能する必要は無く、単に情報を表示するだけであってもよい。また、操作ボタンとして機能する表示エリアと、情報を表示するだけの表示エリアとを混在させてもよい。
【００３６】
このような表示態様のＨＥＭＳモニタ１を見ることによって、ユーザは、エネルギーの利用状況を一目で把握することができる。そして、エネルギーの利用状況を一目で把握することができる理由としては、各アイコンとそれに関連する情報とが比較的近くに表示されていること、および、例えばエアコン５であれば家の中、太陽光パネル４であれば屋根の上等、アイコンの位置が実際の機器の設置位置に即した状態で表示されていることが考えられる。
【００３７】
換言すると、上記したＨＥＭＳモニタ１のように比較的小型の表示部１１を備える装置において表示される情報の分かり易さを重視した場合には、複数のアイコンを比較的近くに配置したりする等、レイアウトが制限されることになり、その結果、アイコンの位置や大きさが自ずと限られてしまうことになる。その場合、例えばＨＥＭＳモニタ１であれば家庭に設置されることが多いことから、例えばお年寄りのユーザが、手の震え等によって所望のアイコンを操作できず、目的の操作を行うまでに時間が掛かってしまうことなどが懸念される。
【００３８】
その一方で、レイアウトが制限されていることから、アイコンの大きさやその反応領域（図４参照。アイコンが操作されたとみなす領域）の大きさを変更することは容易ではなく、また、アイコンを大きくするためにアイコンの数や情報の種類を削減することは、アイコンに対して正確に操作を入力できるユーザにとっては逆にデメリットになってしまう。
【００３９】
そこで、本実施形態のＨＥＭＳモニタ１は、アイコンを正確に操作できるユーザに対してデメリットになることがなく、また、老若男女といった差異にかかわらず容易にタッチパネル１２に対して操作を入力することができるようにしている。
【００４０】
具体的には、ＨＥＭＳモニタ１は、図３に示す入力制御処理（入力制御プログラムに相当する）を実行している。ＨＥＭＳモニタ１は、動作を開始すると、アイコン領域を設定し、設定したアイコン領域にアイコンを表示する（Ｓ１）。続いて、ＨＥＭＳモニタ１は、各アイコン領域に対して、反応領域を設定する（Ｓ２）。
【００４１】
ここで、ステップＳ１、Ｓ２で設定されるアイコン領域、アイコンおよび反応領域を図４に模式的に示す。図４の場合、４つのアイコン領域が設定され、各アイコン領域に、アイコンＭ２０、アイコンＭ２１、アイコンＭ２２およびアイコンＭ２３がそれぞれ表示された状態を示している。本実施形態の場合、各アイコンＭ２０〜Ｍ２３は、それぞれのアイコン領域と同じ大きさに表示されている。つまり、表示された各アイコンＭ２０〜Ｍ２３の形状が、そのままアイコン領域の形状を示している。なお、表示されるアイコンの形状は、必ずしもアイコン領域の形状と一致していなくてもよい。
【００４２】
また、各アイコン領域（つまり、各アイコンＭ２０〜Ｍ２３）には、それぞれ反応領域Ｒ２０〜Ｒ２３が設定されている。各反応領域Ｒ２０〜Ｒ２３は、各アイコン領域に表示されるアイコンＭ２０〜Ｍ２３外に設けられる含む領域であって、その領域内に操作が入力されると対応するアイコンが操作されたとみなす領域として設定されている。この反応領域は、少なくともアイコンの一部を含む状態で設定され、本実施形態の場合、各反応領域Ｒ２０〜Ｒ２３は、対応するアイコンＭ２０〜Ｍ２３と相似形状に設定されるとともに、対応するアイコンＭ２０〜Ｍ２３の大きさに比べて概ね倍程度の大きさに設定されている。
【００４３】
そして、各アイコンＭ２０〜Ｍ２３は、例えば図２のアイコンＭ５〜Ｍ７のように、画面上の比較的近い位置に配置されている。そのため、複数の反応領域が互いに重なりあったり、反応領域が他のアイコン領域と重なったりすることがある。図４の例で言えば、例えば範囲ＲＤ１では反応領域Ｒ２０、Ｒ２１の２つが重なっており、範囲ＲＤ２では反応領域Ｒ２１、Ｒ２２およびＲ２３の３つが重なっている。
なお、範囲ＲＤ３では、反応領域Ｒ２３が他のアイコン領域（ここではアイコンＭ２１）に重なっているが、他の反応領域と重なっていたとしても、アイコン領域内に操作が入力された場合には、アイコンＭ２１が操作されたものとして動作することになる。
【００４４】
このため、図２の例であれば、比較的近くに配置されている例えばアイコンＭ５とアイコンＭ６とでは、互いの反応領域が重なっている。つまり、本実施形態の場合、ＨＥＭＳネットワーク１００に接続されている機器を表示するために多くのアイコンが表示され、各機器を示すアイコンは、互いの反応領域が重なるようなレイアウトとなっている。
【００４５】
アイコン領域および反応領域を設定すると、ＨＥＭＳモニタ１は、図３に示す入力制御処理において、操作が入力されたかを判定する（Ｓ３）。ＨＥＭＳモニタ１は、操作の入力を検出しており、操作が入力されたことを検出していない場合には（Ｓ３：ＮＯ）、操作の入力を待機する。一方、ＨＥＭＳモニタ１は、操作が入力されたことを検出した場合には（Ｓ３：ＹＥＳ）、操作が入力された操作位置を取得し（Ｓ４）、操作位置がアイコン領域内であるかを判定する（Ｓ５）。
【００４６】
例えば、図４に示す点Ｐ１のように、アイコン領域内（いずれかのアイコンと重なる位置）に操作が入力されたとする。この場合、ＨＥＭＳモニタ１は、操作位置（ここでは点Ｐ１）がアイコン領域内であるので（Ｓ５：ＹＥＳ）、対応する処理、つまり、アイコンＭ２０に割り振られている処理を実行する（Ｓ６）。このステップＳ３からステップＳ６への流れは、正確にアイコンが操作されたときの処理の流れに相当する。となる。なお、図３では、説明の簡略化のためにステップＳ５を実行した後に処理を終了させているが、ステップＳ５において対応する処理を実行した後、ステップＳ３に移行して次の操作を待機してもよい。
【００４７】
一方、ＨＥＭＳモニタ１は、操作位置がアイコン領域外（いずれのアイコン領域とも重ならない位置）である場合には（Ｓ５：ＮＯ）、操作位置に対応するアイコン、つまり、その操作位置を反応領域に含むアイコンが１つであるかを判定する（Ｓ７）。例えば、図４に示す点Ｐ２のようにアイコン領域外の点Ｐ２に操作が入力された場合には、対応するアイコンはアイコンＭ２０の１つである。この場合、ＨＥＭＳモニタ１は、対応するアイコンが１つであるので（Ｓ７：ＹＥＳ）、対応するアイコン（ここではアイコンＭ２０）の選択回数を加算した後（Ｓ８）、対応する処理を実行する（Ｓ９）。
【００４８】
ここで、選択回数について説明する。ステップＳ８で計数している選択回数とは、各アイコンが選択された回数であり、選択回数が多いほどそのアイコン（より厳密には、そのアイコンに割り振られている機能）の利用頻度が高いことを示している。この選択回数は、例えば図５に示すように、表示部１１に表示される各アイコンのそれぞれに対して計数され、例えばアイコンＭ２０の選択回数が５０回、アイコンＭ２１の選択回数が２０回、アイコンＭ２２の選択回数が１００回、アイコンＭ２３の選択回数が６０回のように例えば記憶部１３や制御部１０のＲＡＭ等に一時的あるいは継続的に記憶されている。
【００４９】
また、各アイコンＭ２０〜Ｍ２２には、選択回数に応じた優先順位が設定される。例えば図５の場合、アイコンＭ２２は優先順位が最も高い１に設定され、アイコンＭ２３は、優先順位が２番目の２に設定され、アイコンＭ２０は、優先順位が３番目の３に設定され、アイコンＭ２１は、４つのうち優先順位が最も低い４に設定されている。つまり、ＨＥＭＳモニタ１は、利用頻度の高いアイコンほど優先順位を高く設定している。なお、優先順位は、アイコンの選択回数に応じて適宜更新されている。
【００５０】
この優先順位は、後述するように反応領域が重なった位置に操作が入力されたときにいずれのアイコンを操作対象に選択するかの判定材料として用いられる。ただし、本実施形態では、アイコンからずれた位置（アイコン領域外）に操作が入力されて選択されたアイコンを対象として、選択回数を計数している。より具体的に言えば、本実施形態では、アイコンが正確に操作された場合には（上記したステップＳ５：ＹＥＳの場合には）、その操作を選択回数の計数対象から除外し、選択回数を計数していない。これは、次の理由によるものである。
【００５１】
ＨＥＭＳモニタ１のような入力装置は複数のユーザによって操作される可能性がある。その場合、操作するユーザが異なれば、利用頻度の高い機能（本実施形態で言えば選択回数が多いアイコン）も異なることが予想される。つまり、選択回数は、ユーザによって異なると考えられる。
そして、アイコン領域内に操作が入力された場合には、その操作は、勿論お年寄りなどアイコンを正確に操作することが不得手なユーザによって入力されることもあるものの、アイコンを正確に操作できるユーザによって入力されることもある。その一方で、アイコンからずれた位置に操作が入力された場合には、その操作は、勿論アイコンを正確に操作できるユーザの操作ミス等の可能性はあるものの、概ね、不得手なユーザによって入力されたものと考えることができる。
【００５２】
つまり、操作位置がアイコンからずれた位置であるか否か（アイコン領域内であるか否か）によって、アイコンを正確に操作できるユーザが操作したのか、不得手なユーザが操作したのかをある程度識別することができると考えられる。このため、本実施形態のようにアイコンからずれた位置に操作が入力されてアイコンが選択された回数を選択回数として計数することにより、その選択回数は、不得手なユーザが操作を入力した回数を示すもの、つまりは、不得手なユーザの過去の利用状況を示すものとして扱うことができるようになる。これが、本実施形態で正確にアイコンが操作された場合を除外している理由である。
【００５３】
具体的には、図４に示す点Ｐ３に操作が入力されたとすると、その操作位置（ここでは点Ｐ３）は、アイコンＭ２０の反応領域Ｒ２０と、アイコンＭ２１の反応領域Ｒ２１とが重なった位置になっている。
【００５４】
この場合、ＨＥＭＳモニタ１は、図３に示す入力制御処理において、操作位置に対応するアイコン（ここではＭ２０、Ｍ２１）が１つではないので（Ｓ７：ＮＯ）、各アイコンの優先順位を取得し（Ｓ１０）、対象となる２つのアイコンＭ２１、Ｍ２２のうち、最も優先順位のアイコンが１つであるかを判定する（Ｓ１１）。図５の例では、アイコンＭ２０の優先順位は３であり、アイコンＭ２１の優先順位は４であり、２つのアイコンの優先順位が異なることから、つまり、２つのアイコンのうち最も優先順位の高いアイコン（ここではＭ２０）が１つである（Ｓ１１：ＹＥＳ）。
【００５５】
そのため、ＨＥＭＳモニタ１は、アイコンＭ２１を選択し、対応するアイコン（ここでは、アイコンＭ２１）の選択回数を加算し（Ｓ８）、対応する処理を実行する（Ｓ９）。なお、図４に示す点Ｐ４のように３つの反応領域（Ｒ２１、Ｒ２２、Ｒ２３）が重なった位置に操作が入力された場合も同様に、各アイコン（Ｍ２１、Ｍ２２、Ｍ２３）の優先順位を取得し（Ｓ１０）、最も優先順位が高いものが１つ（ここでは、Ｍ２２）であれば（Ｓ１１）、そのアイコンを選択して、選択回数を加算するとともに（Ｓ８）、対応する処理を実行する（Ｓ９）。
【００５６】
これに対して、ＨＥＭＳモニタ１は、複数の反応領域が重なる位置に操作が入力され、最も優先順位が高いアイコンが１つではない場合には（Ｓ１１：ＮＯ）、再選択処理を実行する（Ｓ１２）。この再選択処理は、複数のアイコンが対象となっており、いずれを選択すべきかの判定ができない場合に、アイコンの表示態様を変更することにより、アイコンの再選択を促すための処理である。以下、再選択処理の２つの手法について個別に説明する。
【００５７】
＜＜再選択処理（その１）＞＞
以下、再選択処理（その１）について説明する。再選択処理（その１）は、アイコンの位置を変更することによって再操作を促す手法である。
まず、図６（Ａ）に示すように、ユーザによる最初の操作によって、アイコンＭ３０の反応領域Ｒ３０とアイコンＭ３１の反応領域Ｒ３１とが重なった点Ｐ３０に操作が入力されたとする。また、アイコンＭ３０およびアイコンＭ３１は、同じ優先順位、つまり、点Ｐ３０を反応領域に含むアイコンのうち最も高い優先順位が設定されているものとする。
【００５８】
この場合、手の震え等により操作位置がずれた可能性を考慮すると、単純に操作位置に近い方のアイコン（図６ではＭ３０）を選択することが適切であるとは言い難い一方で、複数のユーザが操作することを考慮すると、たまたまアイコンから少しずれているだけという状況も想定される。
【００５９】
そこで、ＨＥＭＳモニタ１は、図６（Ｂ）に示すように、操作位置である点Ｐ３０に近い側のアイコンＭ３０の位置を維持しつつ、操作位置から遠い側のアイコンＭ３１を、互いの反応領域（Ｒ３０、Ｒ３１）が重ならない位置まで移動させる。なお、例えば３つ以上のアイコンが存在する場合も、同様に、互いの反応領域が重ならないように移動（表示位置を変更）させることになる。
【００６０】
このとき、ユーザが最初に操作した際の操作位置（点Ｐ３０）は、最も近いアイコンＭ３０の反応領域に位置しているため、仮にユーザがアイコンＭ３０を操作したかったのであれば、一旦タッチパネル１２から指を離し、そのまま同じ位置に再度触れることにより、アイコンＭ３０を操作することができる。これにより、アイコンＭ３０を操作したかったユーザにとっては、それほど大きく指を移動させることなく、再操作を入力することができる。
【００６１】
一方、アイコンＭ３１を操作したい場合には、最初の操作位置（点Ｐ３０）から指を離し、例えば図６（Ｃ）に示すように、変更されたアイコンＭ３１側の位置（点Ｐ３１）に指を移動させた後、再度タッチパネル１２に触れることによりアイコンＭ３１を操作することができる。このとき、それぞれの反応領域Ｒ３０、Ｒ３１は重なっていないので、移動後のアイコンＭ３１を操作しようとしたときに手が震えてアイコンＭ３１から多少ずれた位置に触れてしまっても、反応領域Ｒ３１内であればアイコンＭ３１を選択することができる。
【００６２】
この場合、最初の操作位置（点Ｐ３０）から移動後のアイコンＭ３１の方に指を移動させればよいので、始めからあるアイコンを狙って触れようとする場合よりも、不得手なユーザがアイコンＭ３１をより操作し易くなると考えられる。
このように、再選択処理（その１）では、反応領域が重なった位置に操作が入力され、優先順位が同じアイコンが複数ある場合には、対象となるアイコンの位置を変更することによって再操作を促している。
【００６３】
このとき、再操作時の位置により、アイコンの選択対象を確認するようにしてもよい。つまり、再操作が行われた際にほぼ同じ位置に操作が入力された場合には、移動させなかったアイコンを操作したいと考えていると推測できる一方、再操作が行われた際に異なる位置に操作が入力された場合には、移動した方のアイコンを操作したいと考えていると推測できる。そのため、最初の操作時と再操作時との操作が入力された位置の関係により、ユーザが希望する可能性の高いアイコンを選択するようにしてもよい。
【００６４】
＜＜再選択処理（その２）＞＞
以下、再選択処理（その２）について説明する。再選択処理（その２）では、アイコンを強調表示することによって再操作を促す処理である。
まず、図７（Ａ）に示すように、ユーザによる最初の操作によって、アイコンＭ４０の反応領域Ｒ４０とアイコンＭ４１の反応領域Ｒ４１とが重なった点Ｐ４０に操作が入力されたとする。また、アイコンＭ４０およびアイコンＭ４１は、同じ優先順位、つまり、点Ｐ４０を反応領域に含むアイコンのうち最も高い優先順位が設定されているものとする。この場合、上記した再選択処理（その１）と同様に手の震えや複数のユーザが操作することを考慮する必要がある。
【００６５】
そこで、ＨＥＭＳモニタ１は、図７（Ｂ）に示すように、操作位置である点Ｐ４０を反応領域に含み、設定されている優先順位が同じアイコン（Ｍ４０、Ｍ４１）を強調表示する。図７（Ｂ）の場合、ハッチングの態様を図７（Ａ）と異なるものにすることで、アイコンＭ４０、Ｍ４１が強調表示されている状態を模式的に示している。
【００６６】
この場合、ユーザがアイコンＭ４０を操作したいのであれば、一旦タッチパネル１２から指を離し、最初の操作位置（点Ｐ４０）から若干上に指を移動させて再度タッチパネル１２に触れることにより、アイコンＭ４０を操作することができる。
【００６７】
一方、アイコンＭ４１を操作したい場合には、最初の操作位置（点Ｐ４０）から指を離し、現在の位置よりも若干下方に指を移動させて再度タッチパネル１２に触れることにより、アイコンＭ４１を操作することができる。この場合、例えば図６（Ｃ）に示すように、指を下方に移動させたときに手の震え等によりアイコン領域からずれたとしても、アイコン領域よりも大きな反応領域が設定されていることから、若干のずれは許容され、所望のアイコン（例えばアイコンＭ４１）を操作することができる。
【００６８】
このように、再選択処理（その２）では、反応領域が重なった位置に操作が入力され、優先順位が同じアイコンが複数ある場合には、対象となるアイコンを強調表示することによって再操作を促している。そして、再選択処理（その２）では、現在位置（最初の操作位置）からの相対的な指の移動により所望のアイコンに対する操作を入力することができるため、始めからあるアイコンを狙って触れようとする場合よりも、不得手なユーザがアイコンをより操作し易くなると考えられる。
【００６９】
これら再選択処理（その１）や再選択処理（その２）等の処理を行うと、ＨＥＭＳモニタ１は、図３の入力制御処理において、対応するアイコンの選択回数を加算し（Ｓ８）、対応する処理を実行して（Ｓ９）、処理を終了する。
このように、ＨＥＭＳモニタ１は、ユーザが操作を入力した位置が複数の反応領域に重なっている場合には、各アイコンに設定されている優先順位に基づいて、操作の対象となるアイコンを選択する。
【００７０】
以上説明した実施形態によれば次のような効果を得ることができる。
入力装置としてのＨＥＭＳモニタ１で実行される入力制御プログラムは、タッチパネル１２が設けられている表示部１１に、操作を入力する位置を視覚的に提示するためのアイコンを表示する複数のアイコン領域を設定する処理と、複数のアイコン領域のそれぞれに対して、各アイコン領域に表示されるアイコン外に設けられる領域であって、当該領域内に操作が入力されると対応するアイコンが操作されたとみなす反応領域を設定する処理と、タッチパネル１２に対する操作の入力を検出するとともに、複数のアイコンを表示することでそれぞれの前記反応領域が重なり、その重なった位置に操作が入力された場合には、予め設定されている優先順位に従って対象となるアイコンを選択する処理と、を含んでいる。
【００７１】
アイコン対して反応領域を設定することで、まず、アイコンからずれた位置に操作が入力されたとしても、操作位置が反応領域に含まれていれば対応するアイコンが操作されたものとみなされ、そのアイコンに割り振られている処理が実行される。つまり、表示されるアイコン大きさが制限されていたとしても、そのアイコンを操作可能な範囲（反応領域）をアイコンよりも大きくとることができるため、手が震えたりして正確にアイコンを操作することが不得手なユーザであっても、アイコンを操作し易くなる。
【００７２】
そして、複数の反応領域が重なる位置に操作が入力された場合には、優先順位に基づいて対象となるアイコンを選択するので、利用頻度の高いアイコンほど優先的に選択されることになり、入力装置を利用する利用シーンの多くにおいて適切にアイコンを選択できる可能性が高くなると期待される。例えば、ユーザの希望するアイコンが最も優先順位の高いものであったとすれば、正確にアイコンに触れるまで何度も入力を繰り返す必要がなくなることになる。
【００７３】
このとき、アイコンの表示サイズを大きくする必要がないため、アイコンの数や情報の種類を削減する必要がなく、不得手なユーザに配慮しつつも、正確にアイコンを操作できるユーザにとってはデメリットになることもない。
【００７４】
したがって、アイコンに対して正確に操作を入力できるユーザにとってデメリットになることなく、また、老若男女といった差異にかかわらずタッチパネル１２に対する操作を容易に入力することができる。
【００７５】
入力制御プログラムは、各アイコンに設定される優先順位を、アイコンが選択された回数である選択回数が多いほど高く設定する。この場合、選択回数が多いほどそのアイコン（より厳密には、そのアイコンに割り振られている機能）の利用頻度が高いと考えられることから、優先順位を選択回数に応じて設定することにより、利用頻度の高いアイコンほど選択される割合を高くすることができる。したがって、アイコンからずれた位置に操作が入力された場合において、ユーザが希望している確率の高いアイコンを選択することができ、使い勝手を向上させることができる。
【００７６】
入力制御プログラムは、選択回数を、アイコンからずれた位置に操作が入力されて当該アイコンが選択された回数として計数する。アイコン領域内に操作が入力された場合には、その操作は、勿論お年寄りなどアイコンを正確に操作することが不得手なユーザによって入力されることもあるものの、アイコンを正確に操作できるユーザによって入力されたと考えられる。その一方で、アイコンからずれた位置に操作が入力された場合には、その操作は、勿論アイコンを正確に操作できるユーザの操作ミス等の可能性はあるものの、概ね、不得手なユーザによって入力されたものと考えられる。
【００７７】
つまり、操作が入力された位置がアイコンからずれた位置であるか否かによって、アイコンを正確に操作できるユーザが入力した操作なのか、不得手なユーザが入力した操作なのかを程度識別することができる。このため、アイコンからずれた位置に操作が入力されてアイコンが選択された回数を計数した選択回数は、不得手なユーザが操作を入力した回数を示すもの、つまりは、不得手なユーザの過去の利用状況を示すものとして扱うことができる。
【００７８】
そして、このように計数した選択回数に基づいて優先順位を設定することにより、アイコンからずれた位置に操作が入力された場合には、つまり、おそらくは不得手なユーザによって操作が入力されたと思われる場合には、その不得手なユーザの過去の利用状況に基づいて、対象となるアイコンを選択することができるようになる。したがって、アイコンからずれた位置に操作が入力された場合において、対象となるアイコンを選択する際の正確性を高めることができる。
【００７９】
入力制御プログラムは、再選択処理（その１）のように、最も優先順位が高いアイコンが複数ある場合には、対象となるアイコンの位置を互いの反応領域が重ならない位置に変更して再操作を促す。これにより、情報量を確保するためにアイコンを比較的近くに配置するようなレイアウトに制限されている場合であっても、再操作時にはアイコン間の距離が大きくなることから、不得手なユーザであっても容易に所望のアイコンまたはアイコンの近傍の反応領域に操作を入力することができるようになる。また、再操作を促すことで、優先すべきアイコンの判断がつかないままアイコンを選択してユーザの希望とは異なる処理が実行されるような事態を防止することができる。
【００８０】
このとき、操作位置に最も近いアイコンは移動せず、操作位置から遠い側のアイコンを移動させることにより、ユーザ側からすると、最初に操作を入力した位置からそれほど大きく指を移動させることなく、再操作を入力することができるため、使い勝手が向上する。
【００８１】
また、再操作時の位置に基づいてアイコンを選択するようにしてもよい。すなわち、再操作が行われた際にほぼ同じ位置に操作が入力された場合には、移動させなかったアイコンを操作したいと考えていると推測できる一方、再操作が行われた際に異なる位置に操作が入力された場合には、移動した方のアイコンを操作したいと考えていると推測できる。そのため、最初の操作時と再操作時との操作が入力された位置の関係を、アイコンを選択する際の条件に加えることで、ユーザが所望するアイコンをより正しく選択することができる。
【００８２】
入力制御プログラムは、再選択処理（その２）のように、最も優先順位が高いアイコンが複数ある場合、アイコンの表示態様を変更することにより再操作を促す。これにより、情報量を確保するためにアイコンを比較的近くに配置するようなレイアウトに制限されている場合であっても、再操作時には現在触れている箇所から若干指を移動させることでアイコンを選択することができ、タッチパネル１２に触れていない状態からあるアイコンを狙って操作しようとする場合よりも容易に、所望のアイコンを操作できるようになる。また、再操作を促すことで、優先すべきアイコンの判断がつかないままアイコンを選択してユーザの希望とは異なる処理が実行されるような事態を防止することができる。
【００８３】
入力装置は、実施形態のＨＥＭＳモニタ１のように、タッチパネル１２が設けられている表示部１１に、操作を入力する位置を視覚的に提示するためのアイコンを表示する複数のアイコン領域を設定する処理と、複数のアイコン領域のそれぞれに対して、各アイコン領域に表示されるアイコンの外に設けられる含む領域であって、当該領域内に操作が入力されると対応するアイコンが操作されたとみなす反応領域を設定する処理と、タッチパネル１２に対する操作の入力を検出するとともに、複数の反応領域が重なった位置に操作が入力された場合には、予め設定されている優先順位に従って対象となるアイコンを選択する処理と、を実行する制御部１０を備えている。
【００８４】
そして、この制御部１０において実施形態で示したような入力制御プログラムを実行することにより、上記したようにアイコンに対して正確に操作を入力できるユーザにとってデメリットになることなく、また、老若男女といった差異にかかわらずタッチパネル１２に対する操作を容易に入力することができる。
【００８５】
＜＜変形例＞＞
本発明は、上記し且つ図面に記載した態様に限定されるものではなく、その要旨を逸脱しない範囲で種々の変形や拡張をすることができる。
再選択処理（その１）では、操作位置に遠い側のアイコンの位置を移動させたが、アイコンの配置に応じて移動させるアイコンを変更してもよい。例えば、図２の例において、アイコンＭ５、Ｍ６は画面の上下方向に並んで配置されているが、アイコンＭ５とアイコンＭ６との間であってアイコンＭ５に近い位置に操作が入力された場合には、アイコンＭ６の下方にアイコンＭ７が位置していることから、アイコンＭ６を移動せず、アイコンＭ５を画面上方に移動させてもよい。
【００８６】
また、操作位置と最も近いアイコンとの間の距離の関係に基づいて、移動させる方向を決定してもよい。例えば、操作位置と最も近いアイコンとが画面の上下方向に近ければアイコンを上下方向に移動させたり、画面の左右方向に近ければアイコンを左右方向に移動させたりすることが考えられる。
【００８７】
再選択処理（その１）では、図６に示すようにアイコンを表示部１１の画面の上下方向に移動させる例を示したが、対象となるアイコンの配置によっては、表示部１１の画面の左右方向や斜め方向に移動させるようにしてもよい。
【００８８】
再選択処理（その１）および再選択処理（その２）は、いずれか一方の手法を用いる構成としてもよいし、２つの手法を用い、表示されるアイコンの位置等に応じていずれかに切り替える構成としてもよい。また、２つの手法を組み合わせてもよい。例えば、図２の例において、アイコンＭ５、Ｍ６、Ｍ７は、画面の上下方向に並んで配置されている。このとき、アイコンＭ５とアイコンＭ６との間に操作が入力された場合、アイコンＭ５とアイコンＭ６とを強調表示するとともに、例えばアイコンＭ５を画面上方に移動させること等が考えられる。
【００８９】
再選択処理（その２）においてアイコンを強調表示する方法としては、図７（Ｂ）に示したようにアイコンＭ４０、Ｍ４１そのものの表示態様を変更してもよいし、対象外のアイコンを例えばグレーアウトすることにより、相対的にアイコンが協調されるようにしてもよい。
【００９０】
再選択処理（その１）や再選択処理（その２）のような再操作を処理している最中には、対象となるアイコン（例えば、図６のアイコンＭ３０、Ｍ３１や、図７のアイコンＭ４０、Ｍ４１）以外のアイコンに対する操作の入力を抑制するようにしてもよい。これにより、再操作時に誤って他のアイコンを操作することを防止できる。
【００９１】
アイコン領域内が操作された場合（図３のステップＳ５：ＹＥＳの場合）にも選択回数を加算するようにしてもよい。
例えば図２に示すような操作画面（ユーザが操作を入力可能な画面）において、一旦いずれかのアイコンが選択され、所定時間以内に元の操作画面に戻った場合には、当該アイコンに対する選択操作を選択回数の計数から除外してもよい。この場合、所定時間は、数秒程度の時間、つまり、操作ミスをして元の操作画面に戻ったと考えられるような時間に設定するとよい。これにより、操作ミスにより選択回数が加算されてしまうことを防止でき、アイコンの優先順位を適切に設定できるようになる。
【００９２】
図面に記した表示部１１の大きさやユーザの手Ｈとの大きさの対比は一例であり、これに限定されるものではない。
入力装置は、表示部１１と一体型の構成であってもよいし、外部の表示部１１に接続される構成であってもよい。すなわち、入力装置は、上記した制御部１０を備えたものであればよい。
【００９３】
また、入力装置は、実施形態で例示したＨＥＭＳモニタ１以外のものであってもよい。その場合、１つの表示画面に表示するアイコンの数と情報量（情報の種類や数）の関係から、アイコンや情報を表示する位置がある程度制限されるようなものであれば、本発明の効果がより有意になる。
【符号の説明】
【００９４】
図面中、１はＨＥＭＳモニタ（入力装置）、１０は制御部、１１は表示部、１２はタッチパネル、Ｍ１〜Ｍ１１、Ｍ２０〜Ｍ２３、Ｍ３０〜Ｍ３１、Ｍ４０〜Ｍ４１はアイコン、Ｒ２０〜Ｒ２３、Ｒ３０〜Ｒ３１、Ｒ４０〜Ｒ４１は反応領域を示す。
【図１】
2016224666.tif 000003
【図２】
2016224666.tif 000004
【図３】
2016224666.tif 000005
【図４】
2016224666.tif 000006
【図５】
2016224666.tif 000007
【図６】
2016224666.tif 000008
【図７】
2016224666.tif 000009